(57)【要約】【課題】ソフトな筆記感が得られるとともに、筆記時の筆記角度のばらつきを吸収して、所望の筆跡幅が得られる筆記具を提供する。【解決手段】筆記具１は、多孔質体からなる筆記芯２と、該筆記芯２を保持する板状保持部３１を備えた保持体３とを有する。板状保持部３１が板厚方向の深さを有する凹部３１ａ（溝）を備える。または、板状保持部３１が板厚方向に貫通された貫通孔３１ｂを備える。または、板状保持部３１が弾性を有する合成樹脂からなる。前記板状保持部３１が板厚方向に可撓性を有する。【選択図】  図１
2020100031.tif 000002
【特許請求の範囲】
【請求項１】
多孔質体からなる筆記芯と、該筆記芯を保持する板状保持部を備えた保持体とを有する筆記具であって、
前記板状保持部が板厚方向に可撓性を有することを特徴とする筆記具。
【請求項２】
前記板状保持部が板厚方向の深さを有する凹部を備える請求項１記載の筆記具。
【請求項３】
前記板状保持部が板厚方向に貫通された貫通孔を備える請求項１または２記載の筆記具。
【請求項４】
前記板状保持部が弾性を有する合成樹脂からなる請求項１乃至３の何れかに記載の筆記具。
【発明の詳細な説明】
【技術分野】
【０００１】
本発明は、筆記具に関する。詳細には、多孔質体からなる筆記芯と、該筆記芯を保持する板状の保持体とを備えた筆記具に関する。
【背景技術】
【０００２】
従来、特許文献１には、多孔質体からなる筆記芯と、筆記芯を保持する保持体とからなる筆記部が構成される筆記具が開示されている。
【先行技術文献】
【特許文献】
【０００３】
【特許文献１】特開２０１８−３４５０８号公報
【発明の概要】
【発明が解決しようとする課題】
【０００４】
前記特許文献１の筆記具は、筆記感が硬く、その上、紙面に確実に接触できず、筆記角度（筆記時の紙面と筆記具本体の軸線とがなす角度）の違いにより適正に紙面と接触せず、所望の筆跡幅が得られないおそれがある。
【０００５】
本発明は、前記従来の問題点を解決するものであって、ソフトな筆記感が得られるとともに、筆記時の筆記角度のばらつきを吸収して、所望の筆跡幅が得られる筆記具を提供しようとするものである。
尚、本発明で、「前」とは、筆記部側を指し、「後」とは、その反対側を指す。
【課題を解決するための手段】
【０００６】
本願発明は、多孔質体からなる筆記芯２と、該筆記芯２を保持する板状保持部３１を備えた保持体３とを有する筆記具であって、前記板状保持部３１が板厚方向に可撓性を有することを要件とする。
【０００７】
前記本願発明の筆記具１は、前記構成により、ソフトな筆記感が得られるとともに、筆記時の筆記角度の違いによらず、筆記角度のばらつきを吸収し、所望の筆跡幅が得られる。
【０００８】
本願の第２の発明は、前記第１の発明の筆記具において、前記板状保持部３１が板厚方向の深さを有する凹部３１ａを備えることを要件とする。
【０００９】
前記第２の発明の筆記具１は、前記構成により、板状保持部３１が板厚方向の適度な可撓性を有することができる。前記凹部３１ａは、例えば、溝、窪みが挙げられる。前記凹部３１ａは、単一または複数、設けられる。前記凹部３１ａは、両方の板面に設けられることが好ましいが、板面の片方のみに設けることもできる。
【００１０】
本願の第３の発明は、前記第１または第２の発明において、前記板状保持部３１が板厚方向に貫通された貫通孔３１ｂを備えることを要件とする。
【００１１】
前記第３の発明の筆記具１は、前記構成により、板状保持部３１が板厚方向の適度な可撓性を有するとともに、貫通孔３１ｂを介して筆記時の筆記芯２と紙面との接触状態を視認することができる。前記貫通孔３１ｂは、１個または複数個が設けられる。
【００１２】
本願の第４の発明は、前記第１乃至第３の発明の筆記具において、前記板状保持部３１が弾性を有する合成樹脂からなることを要件とする。
【００１３】
前記第４の発明の筆記具１は、前記構成により、板状保持部３１が板厚方向の可撓性を確実に得ることができる。
【発明の効果】
【００１４】
本発明の筆記具は、ソフトな筆記感が得られるとともに、筆記時の筆記角度のばらつきを吸収して、所望の筆跡幅が得られる。
【図面の簡単な説明】
【００１５】
【図１】本発明の第１の実施の形態の筆記具の正面図である。
【図２】図１の縦断面図である。
【図３】図２の要部拡大縦断面図である。
【図４】図１の要部拡大斜視図である。
【図５】図１の保持体の斜視図である。
【図６】本発明の第２の実施の形態の筆記具の正面図である。
【図７】図６の縦断面図である。
【図８】図７の要部拡大縦断面図である。
【図９】図６の要部拡大斜視図である。
【図１０】図６の保持体の斜視図である。
【図１１】本発明の第３の実施の形態の筆記具の正面図である。
【図１２】図１１の縦断面図である。
【図１３】図１２の要部拡大縦断面図である。
【図１４】図１１の要部拡大斜視図である。
【図１５】図１１の保持体の斜視図である。
【発明を実施するための形態】
【００１６】
＜第１の実施の形態＞
本発明の第１の実施の形態を図１乃至図５に示す。
【００１７】
本実施の形態の筆記具１は、多孔質体よりなる筆記芯２と、該筆記芯２を保持する保持体３と、該保持体３が固着される軸筒４と、該軸筒４内に収容されるインキ吸蔵体５とを備える。
【００１８】
・筆記芯
筆記芯２は、多孔質体からなる。多孔質体は、例えば、繊維束の樹脂加工体、繊維束の熱融着加工体、フェルト加工体、合成樹脂の多孔質気泡体等が挙げられる。
【００１９】
筆記芯２は、略コの字状に形成され、直線状の筆記部２１と、筆記部２１の両端より後方に延びる２本のインキ誘導部２２とからなる。２本のインキ誘導部２２の後端がインキ吸蔵体５の前端部に突き刺し接続される。筆記部２１は、軸線に対する垂直面より僅かに傾斜されて形成される。筆記部２１を紙面に接触させ、紙面上を移動させ筆記することにより、一定の筆記幅を有する筆跡を得ることができる。筆記部２１は、軸線に対する垂直面より１０度〜３０度の傾斜されることが筆記時の筆記具本体を把持しやすいことから好ましい。
【００２０】
・保持体
保持体３は、合成樹脂の成形体により得られる。保持体３は、板状保持部３１と、該板状保持部３１の後端に一体に形成され且つ径方向外方に突出する鍔部３２と、該鍔部３２より後方に一体に形成される筒状の取付部３３とからなる。
【００２１】
保持体３を構成する材料は、例えば、ポリプロピレン、ポリエチレン、ポリスチレン、ポリカーボネート、ポリエチレンテレフタレート、ポリアセタール、アクリル、ナイロン、アクリロニトリル・スチレン共重合樹脂（ＡＳ樹脂）、アクリロニトリル・ブタジエン・スチレン共重合樹脂（ＡＢＳ樹脂）等の比較的硬質な合成樹脂が例示できる。また、保持体３を構成する材料は、弾性を有する合成樹脂を採用することができ、該弾性を有する合成樹脂は、例えば、軟質ポリエチレン、軟質ポリプロピレン、ナイロン、ゴム弾性材料（例えば、スチレン系エラストマー、オレフィン系エラストマー、ポリエステル系エラストマー等の熱可塑性エラストマー）が挙げられる。また、前記保持体３を構成する合成樹脂は、透明性を有する樹脂であってもよく、それにより、筆記時の筆記芯２と紙面との接触状態を視認することができる。
【００２２】
・板状保持部
板状保持部３１は、２つの板面３１１と、該板面３１１の前面及び両側面を包囲し且つ板厚方向に形成される板厚面３１２とを備える。板状保持部３１の板厚面３１２で筆記芯２が保持される。
【００２３】
板面３１１は、板厚面３１２を挟むように両側に設けられる。各々の板面３１１は、板厚面３１２と略垂直な面（即ち板厚方向と略直交する面）により形成される。板面３１１の形状は、１つの鈍角と３つの鋭角を有する４角形状を呈し、前端側に鈍角を有する。板面３１１の４角形状は、前端の辺が軸線に対する垂直面より僅かに傾斜されて形成され、後端の辺が軸線に対する垂直に形成され、板面３１１の両側の辺は軸線に対して平行または僅かに傾斜し後方に向かうに従い互いに離隔するテーパ状に形成される。板面３１１の前端の辺は、筆記部２１と同じ角度（即ち、軸線に対する垂直面より１０度〜３０度）に傾斜される。
【００２４】
２つの板面３１１には、凹部３１ａとして例えば複数本の溝が形成される。溝は筆記部２１と並行に形成される。凹部３１ａ（溝）は、板厚面３１２を二等分する板厚方向と直交する仮想切断面に対して対称に形成される。凹部３１ａ（溝）により板状保持部３１に薄肉箇所が形成され、板状保持部３１の板厚方向の適度な可撓性が得られる。尚、凹部３１ａは、複数の溝の他、１つまたは複数の窪みであってもよい。
【００２５】
板厚面３１２には、筆記芯２が保持される保持溝３１ｃが形成される。保持溝３１ｃは、板厚面３１２の前端面と２つの側面に形成される。前端面の保持溝３１ｃに筆記芯２の筆記部２１が嵌合され、２つの側面の保持溝３１ｃに２つのインキ誘導部２２が嵌合される。
【００２６】
保持体３の取付部の外面及び鍔部３２の外面には、長手方向に延びる空気溝３３１が形成される。空気溝３３１は長手方向に貫通される。空気溝３３１は複数本が設けられるが、１本でもよい。
【００２７】
・軸筒
軸筒４は、前軸４１と、該前軸４１の後端部が前端部に接続される後軸４２とからなる。前軸４１は、円筒体であり、合成樹脂（例えばポリプロピレン）の成形体により得られる。前軸４１の前端開口部の内面に、筆記芯２を備えた保持体３の取付部３３の外面が嵌合固定される。保持体３の鍔部３２の後面が前軸４１の前端に当接される。
【００２８】
後軸４２は、有底円筒体であり、合成樹脂（例えばポリプロピレン）の成形体により得られる。後軸４２の内部には、繊維束の加工体からなるインキ吸蔵体５が収容される。インキ吸蔵体５内部にインキが含浸される。
【００２９】
本実施の形態の筆記具１は、多孔質体からなる筆記芯２と、該筆記芯２を保持する板状保持部３１を備えた保持体３とを有する筆記具であって、前記保持体３の板状保持部３１が板厚方向に可撓性を有することにより、ソフトな筆記感が得られるとともに、筆記時の筆記角度の違いによらず、筆記角度のばらつきを吸収し、所望の筆跡幅が得られる。
【００３０】
本実施の形態の筆記具１は、板状保持部３１が板厚方向の深さを有する凹部３１ａを備えることにより、板状保持部３１が板厚方向の適度な可撓性を有することができる。
【００３１】
本実施の形態の筆記具１は、板状保持部３１が弾性を有する合成樹脂からなることにより、板状保持部３１が板厚方向の可撓性を確実に得ることができる。
【００３２】
＜第２の実施の形態＞
本発明の第２の実施の形態を図６乃至図１０に示す。
【００３３】
本実施の形態の筆記具１は、多孔質体よりなる筆記芯２と、該筆記芯２を保持する保持体３と、該保持体３が固着される軸筒４と、該軸筒４内に収容されるインキ吸蔵体５とを備える。
【００３４】
・筆記芯
筆記芯２は、多孔質体からなる。多孔質体は、例えば、繊維束の樹脂加工体、繊維束の熱融着加工体、フェルト加工体、合成樹脂の多孔質気泡体等が挙げられる。
【００３５】
筆記芯２は、略コの字状に形成され、直線状の筆記部２１と、筆記部２１の両端より後方に延びる２本のインキ誘導部２２とからなる。２本のインキ誘導部２２の後端がインキ吸蔵体５の前端部に突き刺し接続される。筆記部２１は、軸線に対する垂直面より僅かに傾斜されて形成される。筆記部２１を紙面に接触させ、紙面上を移動させ筆記することにより、一定の筆記幅を有する筆跡を得ることができる。筆記部２１は、軸線に対する垂直面より１０度〜３０度の傾斜されることが筆記時の筆記具本体を把持しやすいことから好ましい。
【００３６】
・保持体
保持体３は、合成樹脂の成形体により得られる。保持体３は、板状保持部３１と、該板状保持部３１の後端に一体に形成され且つ径方向外方に突出する鍔部３２と、該鍔部３２より後方に一体に形成される筒状の取付部３３とからなる。
【００３７】
保持体３を構成する材料は、例えば、ポリプロピレン、ポリエチレン、ポリスチレン、ポリカーボネート、ポリエチレンテレフタレート、ポリアセタール、アクリル、ナイロン、アクリロニトリル・スチレン共重合樹脂（ＡＳ樹脂）、アクリロニトリル・ブタジエン・スチレン共重合樹脂（ＡＢＳ樹脂）等の比較的硬質な合成樹脂が例示できる。また、保持体３を構成する材料は、弾性を有する合成樹脂を採用することができ、該弾性を有する合成樹脂は、例えば、軟質ポリエチレン、軟質ポリプロピレン、ナイロン、ゴム弾性材料（例えば、スチレン系エラストマー、オレフィン系エラストマー、ポリエステル系エラストマー等の熱可塑性エラストマー）が挙げられる。また、前記保持体３を構成する合成樹脂は、透明性を有する樹脂であってもよく、それにより、筆記時の筆記芯２と紙面との接触状態を視認することができる。
【００３８】
・板状保持部
板状保持部３１は、２つの板面３１１と、該板面３１１の前面及び両側面を包囲し且つ板厚方向に形成される板厚面３１２とを備える。板状保持部３１の板厚面３１２で筆記芯２が保持される。
【００３９】
板面３１１は、板厚面３１２を挟むように両側に設けられる。各々の板面３１１は、板厚面３１２と略垂直な面（即ち板厚方向と略直交する面）により形成される。板面３１１の形状は、１つの鈍角と３つの鋭角を有する４角形状を呈し、前端側に鈍角を有する。板面３１１の４角形状は、前端の辺が軸線に対する垂直面より僅かに傾斜されて形成され、後端の辺が軸線に対する垂直に形成され、板面３１１の両側の辺は軸線に対して平行または僅かに傾斜し後方に向かうに従い互いに離隔するテーパ状に形成される。板面３１１の前端の辺は、筆記部２１と同じ角度（即ち、軸線に対する垂直面より１０度〜３０度）に傾斜される。
【００４０】
２つの板面３１１には、板厚方向に貫通する１個の貫通孔３１ｂが設けられる。貫通孔３１ｂの形状は、板面３１１の４角形形状の各辺から一定の距離を置いて形成され、板面３１１の四角形形状と略相似形状を有する。貫通孔３１ｂにより、板状保持部３１が、前端の筆記部２１と後端の底部とが２本の側板部に連設された形状を有する。それにより、板状保持部３１の板厚方向の適度な可撓性が得られる。尚、貫通孔３１ｂは、複数設けることもできる。
【００４１】
また、側板部の板面３１１に、第１の実施の形態と同様の凹部３１ａ（溝）を形成し、板面３１１に貫通孔３１ｂと凹部３１ａ（溝）を設けることにより、より一層容易に、板厚方向の可撓性を得ることができる。
【００４２】
板厚面３１２には、筆記芯２が保持される保持溝３１ｃが形成される。保持溝３１ｃは、板厚面３１２の前端面と２つの側面に形成される。前端面の保持溝３１ｃに筆記芯２の筆記部２１が嵌合され、２つの側面の保持溝３１ｃに２つのインキ誘導部２２が嵌合される。
【００４３】
保持体３の取付部３３の外面及び鍔部３２の外面には、長手方向に延びる空気溝３３１が形成される。空気溝３３１は長手方向に貫通される。空気溝３３１は複数本が設けられるが、１本でもよい。
【００４４】
・軸筒
軸筒４は、前軸４１と、該前軸４１の後端部が前端部に接続される後軸４２とからなる。前軸４１は、円筒体であり、合成樹脂（例えばポリプロピレン）の成形体により得られる。前軸４１の前端開口部の内面に、筆記芯２を備えた保持体３の取付部３３の外面が嵌合固定される。保持体３の鍔部３２の後面が前軸４１の前端に当接される。
【００４５】
後軸４２は、有底円筒体であり、合成樹脂（例えばポリプロピレン）の成形体により得られる。後軸４２の内部には、繊維束の加工体からなるインキ吸蔵体５が収容される。インキ吸蔵体５内部にインキが含浸される。
【００４６】
本実施の形態の筆記具１は、多孔質体からなる筆記芯２と、該筆記芯２を保持する板状保持部３１を備えた保持体３とを有する筆記具であって、前記板状保持部３１が板厚方向に可撓性を有することにより、ソフトな筆記感が得られるとともに、筆記時の筆記角度の違いによらず、筆記角度のばらつきを吸収し、所望の筆跡幅が得られる。
【００４７】
本実施の形態の筆記具１は、板状保持部３１が、板厚方向に貫通された貫通孔３１ｂを備えることにより、板状保持部３１が板厚方向の適度な可撓性を有するとともに、貫通孔３１ｂを介して筆記時の筆記芯２と紙面との接触状態を視認することができる。
【００４８】
本実施の形態の筆記具１は、板状保持部３１が弾性を有する合成樹脂からなることにより、板状保持部３１が板厚方向の可撓性を確実に得ることができる。
【００４９】
＜第３の実施の形態＞
本発明の第３の実施の形態を図１１乃至図１５に示す。
【００５０】
本実施の形態の筆記具１は、多孔質体よりなる筆記芯２と、該筆記芯２を保持する保持体３と、該保持体３が固着される軸筒４と、該軸筒４内に収容されるインキ吸蔵体５とを備える。
【００５１】
・筆記芯
筆記芯２は、多孔質体からなる。多孔質体は、例えば、繊維束の樹脂加工体、繊維束の熱融着加工体、フェルト加工体、合成樹脂の多孔質気泡体等が挙げられる。
【００５２】
筆記芯２は、略コの字状に形成され、直線状の筆記部２１と、筆記部２１の両端より後方に延びる２本のインキ誘導部２２とからなる。２本のインキ誘導部２２の後端がインキ吸蔵体５の前端部に突き刺し接続される。筆記部２１は、軸線に対する垂直面より僅かに傾斜されて形成される。具体的には、筆記部２１は、軸線に対する垂直面より１０度〜３０度の傾斜されることが筆記時の筆記具本体を把持しやすいことから好ましい。筆記部２１を紙面に接触させ、紙面上を移動させ筆記することにより、一定の筆記幅を有する筆跡を得ることができる。
【００５３】
・保持体
保持体３は、合成樹脂の成形体により得られる。保持体３は、板状保持部３１と、該板状保持部３１の後端に一体に形成され且つ径方向外方に突出する鍔部３２と、該鍔部３２より後方に一体に形成される筒状の取付部３３とからなる。
【００５４】
保持体３は、弾性を有する合成樹脂により形成される。弾性を有する合成樹脂は、例えば、軟質ポリエチレン、軟質ポリプロピレン、ナイロン、ゴム弾性材料（例えば、スチレン系エラストマー、オレフィン系エラストマー、ポリエステル系エラストマー等の熱可塑性エラストマー）が挙げられる。また、前記保持体３を構成する合成樹脂は、透明性を有する樹脂であってもよく、それにより、筆記時の筆記芯２と紙面との接触状態を視認することができる。
【００５５】
・板状保持部
板状保持部３１は、２つの板面３１１と、該板面３１１の前面及び両側面を包囲し且つ板厚方向に形成される板厚面３１２とを備える。板状保持部３１の板厚面３１２で筆記芯２が保持される。
【００５６】
板面３１１は、板厚面３１２を挟むように両側に設けられる。各々の板面３１１は、板厚面３１２と略垂直な面（即ち板厚方向と略直交する面）により形成される。板面３１１の形状は、１つの鈍角と３つの鋭角を有する４角形状を呈し、前端側に鈍角を有する。板面３１１の４角形状は、前端の辺が軸線に対する垂直面より僅かに傾斜されて形成され、後端の辺が軸線に対する垂直に形成され、板面３１１の両側の辺は軸線に対して平行または僅かに傾斜し後方に向かうに従い互いに離隔するテーパ状に形成される。板面３１１の前端の辺は、筆記部２１と同じ角度（即ち、軸線に対する垂直面より１０度〜３０度）に傾斜される。
【００５７】
板厚面３１２には、筆記芯２が保持される保持溝３１ｃが形成される。保持溝３１ｃは、板厚面３１２の前端面と２つの側面に形成される。前端面の保持溝３１ｃに筆記芯２の筆記部２１が嵌合され、２つの側面の保持溝３１ｃに２つのインキ誘導部２２が嵌合される。
【００５８】
保持体３の取付部３３の外面及び鍔部３２の外面には、長手方向に延びる空気溝３３１が形成される。空気溝３３１は長手方向に貫通される。空気溝３３１は複数本が設けられるが、１本でもよい。
【００５９】
・軸筒
軸筒４は、前軸４１と、該前軸４１の後端部が前端部に接続される後軸４２とからなる。前軸４１は、円筒体であり、合成樹脂（例えばポリプロピレン）の成形体により得られる。前軸４１の前端開口部の内面に、筆記芯２を備えた保持体３の取付部３３の外面が嵌合固定される。保持体３の鍔部３２の後面が前軸４１の前端に当接される。
【００６０】
後軸４２は、有底円筒体であり、合成樹脂（例えばポリプロピレン）の成形体により得られる。後軸４２の内部には、繊維束の加工体からなるインキ吸蔵体５が収容される。インキ吸蔵体５内部にインキが含浸される。
【００６１】
本実施の形態の筆記具１は、多孔質体からなる筆記芯２と、該筆記芯２を保持する板状保持部３１を備えた保持体３とを有する筆記具であって、前記板状保持部３１が板厚方向に可撓性を有することにより、ソフトな筆記感が得られるとともに、筆記時の筆記角度の違いによらず、筆記角度のばらつきを吸収し、所望の筆跡幅が得られる。
【００６２】
本実施の形態の筆記具１は、板状保持部３１が弾性を有する合成樹脂からなることにより、板状保持部３１が板厚方向の可撓性を確実に得ることができる。
【符号の説明】
【００６３】
１  筆記具
２  筆記芯
２１  筆記部
２２  インキ誘導部
３  保持体
３１  板状保持部
３１１  板面
３１２  板厚面
３２  鍔部
３３  取付部
３３１  空気溝
３１ａ  凹部
３１ｂ  貫通孔
３１ｃ  保持溝
４  軸筒
４１  前軸
４２  後軸
５  インキ吸蔵体
【図１】
2020100031.tif 000003
【図２】
2020100031.tif 000004
【図３】
2020100031.tif 000005
【図４】
2020100031.tif 000006
【図５】
2020100031.tif 000007
【図６】
2020100031.tif 000008
【図７】
2020100031.tif 000009
【図８】
2020100031.tif 000010
【図９】
2020100031.tif 000011
【図１０】
2020100031.tif 000012
【図１１】
2020100031.tif 000013
【図１２】
2020100031.tif 000014
【図１３】
2020100031.tif 000015
【図１４】
2020100031.tif 000016
【図１５】
2020100031.tif 000017